(57)【要約】【課題】本発明は、支保工の構築時や解体時における取付け・取外し作業を容易に、しかも迅速に作業能率よく行なうことが出来、また、床材に開口部を簡単に形成せしめることが出来る支保工用床材を提供する。【解決手段】方形状枠体２と、該枠体２内に架設状に敷設せしめる所要数の床付き布わく５・７と、枠体２を支保工１５に吊設せしめる両側一対の吊設材１１とよりなり、上記枠体２内に所要数の床付き布わく５・７を架設状に敷設せしめると共に、枠体２を吊設材１１でもって支保工１５の両側水平つなぎ材１９に吊設せしめるべく構成されている。また、上記枠体２内に所要数の長尺状床付き布わく５が架設状に敷設されると共に、相隣る該長尺状床付き布わく５間に短尺状床付き布わく７が取付け部材８を介して架設状に取付けられ、相隣る長短尺状床付き布わく５・７間に開口部１０が区画形成されている。【選択図】      図１
2004293190.tif 000002
【特許請求の範囲】
【請求項１】
支保工内に組付け自在な方形状枠体と、該枠体内に架設状に敷設せしめる所要数の床付き布わくと、枠体を支保工に吊設せしめる両側一対の吊設材とよりなり、上記枠体内に所要数の床付き布わくを架設状に敷設せしめると共に、枠体を吊設材でもって支保工の両側水平つなぎ材に吊設せしめるべく構成されてなることを特徴とする、支保工用床材。
【請求項２】
枠体および吊設材はその寸法を自由に調整せしめるべく各々伸縮部材により構成されてなることを特徴とする、請求項１記載の支保工用床材。
【請求項３】
請求項１及び２記載の支保工用床材であって、該床材を構成する枠体内に所要数の長尺状床付き布わくが架設状に敷設されると共に、相隣る該長尺状床付き布わく間に短尺状床付き布わくが取付け部材を介して架設状に取付けられ、該短尺状床付き布わくと相隣る長尺状床付き布わくとの間に開口部が区画形成されてなることを特徴とする、支保工用床材。
【発明の詳細な説明】
【０００１】
【発明の属する技術分野】
本発明は、橋梁工事、各種建築工事、あるいは土木工事等において、所要の橋桁や大トラス等の重量物を架設せしめるさいに使用する支保工用床材に関する。
【０００２】
【従来の技術、及び発明が解決しようとする課題】
従来より、この種の支保工用床材としては、特開平９−１８４３０８号公報（特許文献１）や特開平９−１８４３０９号公報（特許文献２）などに記載されているように、支保工の寸法に合せて一体的に形成されたもの、あるいは、折畳み自在に形成されたものが知られている。
そして、上述の如く構成された従来の支保工用床材は、支保工を構成する支柱に枢支部材を介して取付けるものとされている。
【０００３】
しかしながら、上記従来の支保工用床材は、一体的に、あるいは、折畳み自在に形成されているから、非常に重量が大であるのみならず、分解することが出来ないため非常に嵩張りやすいものである。このため、支保工の構築時における取付け作業や解体時における取外し作業が非常に面倒で手間がかかり、極めて作業能率が悪いのみならず、運搬や保管等に不便を来すものとなっていた。
【０００４】
また、支保工用床材には開口部を形成し、昇降用として、また、梯子組付け用として使用するものとされているが、かかる開口部は予め床材に形成しなければならないものであって、その製作が非常に面倒で手間がかかるのみならず、例えば、梯子の組付け位置を変更する必要がある場合には到底対処することが出来ないものである。
【０００５】
【特許文献１】
特開平９−１８４３０８号公報
【特許文献２】
特開平９−１８４３０９号公報
【０００６】
本発明は従来の問題点を解決し、支保工の構築時や解体時における取付け・取外し作業を極めて容易に、しかも、迅速かつ確実に作業能率よく行なうことが出来るのみならず、分解してコンパクトに纏めることが出来、運搬や保管等に至便であり、また、必要に応じて適宜床材に開口部を簡単に形成せしめることが出来る支保工用床材を提供しようとするものである。
【０００７】
【課題を解決するための手段】
上記目的を達成するため、本発明の請求項１記載の発明は、支保工内に組付け自在な方形状枠体と、該枠体内に架設状に敷設せしめる所要数の床付き布わくと、枠体を支保工に吊設せしめる両側一対の吊設材とよりなり、上記枠体内に所要数の床付き布わくを架設状に敷設せしめると共に、枠体を吊設材でもって支保工の両側水平つなぎ材に吊設せしめるべく構成されてなることを特徴とする、支保工用床材を要旨とするものである。
【０００８】
請求項２記載の発明は、枠体および吊設材はその寸法を自由に調整せしめるべく各々伸縮部材により構成されてなることを特徴とする、請求項１記載の支保工用床材を要旨とするものである。
【０００９】
請求項３記載の発明は、請求項１及び２記載の支保工用床材であって、該床材を構成する枠体内に所要数の長尺状床付き布わくが架設状に敷設されると共に、相隣る該長尺状床付き布わく間に短尺状床付き布わくが取付け部材を介して架設状に取付けられ、該短尺状床付き布わくと相隣る長尺状床付き布わくとの間に開口部が区画形成されてなることを特徴とする、支保工用床材を要旨とするものである。
【００１０】
【発明の実施の形態】
以下に、本発明の実施の形態を図面に示す一実施例に基づいて説明する。
図１乃至図５は本発明の一実施例を示すもので、同図中、１は後記する支保工１５内に組付け自在とされた方形状の支保工用床材、２は該床材１を構成する枠体で、該枠体２はその寸法を自由に調整せしめるべく所要の長さを備えた４個の金属パイプ製伸縮枠部材３でもって方形枠状に形成されている。４は両側に対応する上記伸縮枠部材３の長手方向に沿ってその外側に各々突設された所要数の下向きコ字形状掛止金具、５は枠体２内に伸縮枠部材３を介して架設状に敷設自在とされたつかみ金具６付き長尺状床付き布わく、７は該長尺状床付き布わく５より若干短尺状とされたつかみ金具６付き短尺状床付き布わくで、該短尺状床付き布わく７は相隣る長尺状床付き布わく５間に架設自在とされた嵌着金具９付き取付け部材８及び伸縮枠部材３を介して架設状に敷設自在とされ、該短尺状床付き布わく７と相隣る長尺状床付き布わく５との間に開口部１０を区画形成せしめるものとされている。１１は枠体２を後記する支保工１５内に吊設せしめる両側一対の吊設材、１２は該各吊設材１１を構成する所要の長さを備えた伸縮自在な水平部材、２２は該水平部材１２の両端部に各々突設された位置決め部材、１３は各水平部材１２の両端部に各々倒起立自在に枢着された所要の長さを有する両側一対の吊部材、１４は該各吊部材１３の先部に固着された吊持片である。
その他、１５は方形体状の支保工、１６は該支保工１５を構成する連結部材１７付き支柱、１８・１９は該相隣る支柱１６を連結せしめる交さ筋かいと水平つなぎ材、２０は支保工１５内に組付け自在とされた梯子、２１は閉塞板を示す。
【００１１】
上述の如く構成された床材１を用いて支保工１５を構築せしめるさいには、先ず、支柱１６を前後左右に所定間隔をもって起立せしめると共に、相隣る支柱１６を交さ筋かい１８と水平つなぎ材１９でもって連結せしめる。しかるのち、まず、伸縮枠部材３を適宜伸縮作動せしめつつ枠体２の寸法を適正に調整せしめ、伸縮枠部材３間に長尺状床付き布わく５を順次架設状に敷設せしめつつ、所要の長尺状床付き布わく５間に嵌着金具９でもって取付け部材８を架設状に取付けると共に、該取付け部材８と対応する伸縮枠部材３との間に短尺状床付き布わく７を架設せしめ、短尺状床付き布わく７と相隣る長尺状床付き布枠５との間に開口部１０を区画形成せしめる。次いで、水平部材１２の長さを伸縮作動せしめて適正寸法に調整せしめつつ、対応する水平つなぎ材１９に各々吊持片１４でもって吊設材１１を吊持せしめると共に、長短尺状床付き布わく５・７を敷設せしめた枠体２を吊り上げながら吊設材１１間に掛止金具４を介して架設せしめ、水平つなぎ材１９に吊設せしめる。
以下同様に、各起立支柱１６上順次に交さ筋かい１８・水平つなぎ材１９・連結部材１７を介して支柱１６を連結せしめると共に、床材１を吊設せしめ、開口部１０を通して梯子２０を組付け、支保工１５を構築せしめる。なお、必要に応じて開口部１０は閉塞板２１により閉塞せしめてもよい。
【００１２】
逆に、支保工１５を解体せしめる場合には、順次上方より梯子２０を取外すと共に、上方より支柱１６の連結を解放せしめつつ吊設せしめた床材１毎に吊り降し、地上にて枠体２より長短尺状床付き布わく５・７を、水平つなぎ材１９より吊設材１１を各々順次取外して分解せしめると共に、交さ筋かい１８・水平つなぎ材１９を取外しつつ支柱１６の連結を解放せしめて解体せしめるものである。
【００１３】
【発明の効果】
請求項１記載の発明は上述のように構成されているから、支保工に取付るさいには、枠体内に所要数の床付き布わくを架設状に敷設せしめたのち、枠体を吊設材でもって支保工の両側水平つなぎ材に吊設せしめるという極めて簡単な操作でもって、迅速かつ確実に、しかも能率よく取付けることが出来るものである。また、解体時には、枠体を吊設材より取外し、敷設する長短尺状床付き布わくを取外すと共に、水平つなぎ材より吊設材を順次取外すという極めて簡単な操作でもって、迅速かつ確実に、しかも能率よく取外すことが出来るのみならず、枠体と床付き布わくと吊設材とに分解してコンパクトに纏めることが出来るものであって、その運搬や保管等に極めて至便である。
【００１４】
請求項２記載の発明は上述のように構成されているから、枠体および吊設材を適宜伸縮作動せしめてその寸法を自由に調整せしめることが出来るものであって、ひいては、寸法の相違する支保工にも充分適用せしめることが出来るものである。
【００１５】
請求項３記載の発明は上述のように構成されているから、相隣る長尺状床付き布わく間に取付け部材を介して短尺状床付き布わくを取付けるという極めて簡単な操作でもって、短尺状床付き布わくと相隣る長尺状床付き布わくとの間に開口部を区画形成せしめることが出来るものであって、従来例に比して、床材に開口部を任意の個所に容易に形成せしめることが出来るものである。
【図面の簡単な説明】
【図１】本発明に係る床材１の一実施例を示す分解斜視図である。
【図２】本発明に係る床材１の使用状態を示す斜視図である。
【図３】本発明に係る床材１の使用状態を示す拡大平面図である。
【図４】本発明に係る床材１を水平つなぎ材１９に吊設せしめた状態を示す側面図である。
【図５】本発明に係る床材１の短尺状床付き布わく７を相隣る長尺状床付き布わく５間に取付けた状態を示す断面図である。
【符号の説明】
１    床材
２    枠体
３    伸縮枠部材
５    長尺状床付き布わく
７    短尺状床付き布わく
８    取付け部材
１０  開口部
１１  吊設材
１２  水平部材
１５  支保工
１９  水平つなぎ材
【図１】
2004293190.tif 000003
【図２】
2004293190.tif 000004
【図３】
2004293190.tif 000005
【図４】
2004293190.tif 000006
【図５】
2004293190.tif 000007